(57)【要約】【課題】  カードを確実且つ容易に出し入れできるようにするとともに、カード排出時にカードコネクタからＩＣカードが飛び出ることを確実に防止できるようにしたカードロック機構付カードコネクタを提供する。【解決手段】  基体と、該基体との間にＩＣカード収容空間を形成するカバーと、前記基体上を移動し得るイジェクト部材、その中央部に配置され、該イジェクト部材の移動を規制するハートカムとカムレバー及び前記イジェクト部材の両側部に配置される２つのコイルバネを有するイジェクト機構と、前記ＩＣカードの凹部に係合する係止爪及び前記イジェクト部材の長孔に係合する突起を含むロック部材及び復帰バネを有するカードロック機構とを備え、前記ロック部材は、前記イジェクト機構のカード排出動作終了後に前記ＩＣカードとともに移動可能であり、その移動中に、前記係止爪と前記凹部との係合が解除される。【選択図】  図２
2005108569.tif 000002
【特許請求の範囲】
【請求項１】
基体と、該基体全体を覆い、該基体との間にＩＣカード収容空間を形成するカバーと、
前記基体上を前後方向に移動し得るイジェクト部材、該イジェクト部材の前後方向の移動を規制するハートカムとカムレバー、及び該イジェクト部材を前方に付勢するコイルバネ、を少なくとも有するイジェクト機構と、
前記ＩＣカードに形成される凹部に係合する係止爪を含むロック部材、及び該ロック部材を前記ＩＣカード収容空間側に付勢する復帰バネ、を少なくとも有するカードロック機構と、
を備え、
前記カードロック機構の前記ロック部材は、前記イジェクト機構のカード排出動作終了後に前記ＩＣカードとともに移動可能であり、当該ＩＣカードとの移動中に、ロック部材の係止爪とＩＣカードの凹部との係合が解除されることを特徴とするカードロック機構付カードコネクタ。
【請求項２】
前記カードロック機構は、前記基体に形成された案内部をさらに有し、
該案内部に形成されたカム傾斜面に、前記ロック部材の前記係止爪が案内されることにより、前記ロック部材が回動し、これにより前記係合が解除されることを特徴とする請求項１に記載のカードロック機構付カードコネクタ。
【請求項３】
前記ハートカムは、前記イジェクト部材に対し、その中央部に配置され、
前記２つのコイルバネは、前記イジェクト部材の両側部に配置されていることを特徴とする請求項１または２に記載のカードロック機構付カードコネクタ。
【発明の詳細な説明】
【技術分野】
【０００１】
本発明は、携帯電話機、電話機、ＰＤＡ（personal digital assistance）、携帯型オーディオ、カメラ等の電子機器の取付けられるカードコネクタにおいて、カードの脱落を防止するロック機構付カードコネクタに関する。より詳細には、本発明は、カード排出時におけるカードの飛び出しを防止できるようにしたカードロック機構付カードコネクタに関する。
【背景技術】
【０００２】
携帯電話機、電話機、ＰＤＡ、携帯型オーディオ、カメラ等の電子機器においては、ＣＰＵあるいはメモリ用のＩＣが内蔵された種々のＩＣカードを、カードコネクタを介して電子機器に着脱自在に装着させることで、機能拡張やデータ保存などを行うようにしている。
【０００３】
このようなカードコネクタには、装着されたカードを取り出すためのイジェクタ機構が備えられていることが従来から知られている。また、該イジェクト機構の１つとして、いわゆるプッシュ・プッシュタイプのイジェクト機構も従来から知られている（特許文献３参照）。
【０００４】
そして、このイジェクト機構によりカードを取り出す際、カードが急激に飛び出し、コネクタから脱落することを防止するため、あるいは、カードを装填している時、例えば、電子機器を落とすなどして予期しない外力が加えられることにより、カードがコネクタから外れ、それによってカードとコネクタとの電気的接続が損なわれる、ことを防止するために、コネクタハウジングの所定個所に、適宜の弾性ブレーキ片が設けられている（特許文献１、２参照）。該ブレーキ片は、カードに接触して、カードがコネクタから外れるあるいは脱落する方向とは逆方向に摩擦力を発生させ、それによりカードの動きを規制している。
【０００５】
このような、ブレーキ片によるカード脱落防止機構においては、該ブレーキ片のカードに対する接触圧（弾性力）の設定が難しい。すなわち、ブレーキ片の接触圧をおおきくしすぎると、カードの着脱に支障を来たし、小さくしすぎると、該ブレーキ片を設けた意味がなくなる恐れがある。また、カードの種類によりその厚さや幅などが異なり、使用されるカード全てに対応し得るブレーキ片をコネクタに用意することは難しい。
【０００６】
したがって、このような従来機構を改良するものとして、特許文献３に開示されるようなカードロック機構が提案されている。以下に、該カードロック機構について簡単に説明する。
【０００７】
上記特許文献３に開示されるカードロック機構は、ハートカムを利用したプッシュ・プッシュタイプのイジェクト機構に、その基端が固定されている弾性ロック片の自由端としての先端フック部が、カードに形成されている凹部に係合することにより、カードをロックし、カードの脱落を防止するものである。弾性ロック片は、先端フック部がカード凹部から離れる方向に付勢されている。また、コネクタハウジングには、弾性ロック片の先端フック部に接触するガイド突起設けられている。
【０００８】
ＩＣカードを指等で押し込み（プッシュする）ながらカードコネクタ内に挿入すると、イジェクタ機構も作動し、該イジェクタ機構の作動に伴い弾性ロック片が移動する。ＩＣカードがコネクタ内に完全に挿入されると、イジェクタ機構は、ハートカムに案内されてその作動がロックされ、この時、弾性ロック片の先端フック部がガイド突起に接触し、ＩＣカード側に押出されて、該フック部がＩＣカード側部に形成されているカード凹部に係合され、結果として、ＩＣカードは、カードコネクタ内にロックされる。
【０００９】
ＩＣカードをコネクタから取り外す場合は、該カードを再度押し込む（プッシュする）ことによりハートカムに案内されてイジェクタ機構のロックが外れ、イジェクタ機構が作動する。すなわち、イジェクタ機構に設けられているコイルバネの復帰力により、ＩＣカードはコネクタから排出される。この時、弾性ロック片もイジェクタ機構の作動に伴い移動し、ガイド突起が弾性ロック片の先端フック部から外れる。これにより、該フック部は、その弾性によりカード凹部から後退し、もとの位置に戻る。この弾性ロック片のロック解放動作により、上記イジェクタ機構によるカード排出が行なわれることになる。
【００１０】
ところで、上記カードロック機構を構成する弾性ロック片を備えるイジェクト機構は、上記特許文献３にも開示されるように、コネクタの側方に設けられている。このような構成であると、カードをコネクタ内に挿入又は排出する時、ＩＣカードとイジェクタ機構との間で作用する力は、該カードにとっては、その一方の側（イジェクト機構が配置されている側）にのみ働く。一方、カードコネクタとＩＣカードとの間には、該カード挿入・排出を容易にするために若干の遊び（隙間）が形成されている。
【００１１】
したがって、この隙間が存在するために、ＩＣカードの挿入及び排出時に、カードが傾き易く、かえってＩＣカードの挿入、排出が困難になってしまう恐れが生じる。このような現象は、ＩＣカード挿入、排出方向に対して横長でかつ薄型のＩＣカードにおいて特に顕著に現れる。
【００１２】
このようにＩＣカードが傾斜するのを避けるために、特許文献４に示されるように、イジェクタ機構をカードコネクタ中央に配置し、ＩＣカードを均等に押し出したり、押し込んだりできるようにしたカードコネクタが提案されている。
【００１３】
【特許文献１】特開２００１−１３５４２４号公報
【特許文献２】特開２００１−１４３８１６号公報
【特許文献３】特開２００２−１３４２２４号公報
【特許文献４】特開平１１−６６２４５号公報
【発明の開示】
【発明が解決しようとする課題】
【００１４】
上記カードロック機構は、ＩＣカードがカードコネクタ内に装填されている間におけるＩＣカードの抜け落ち防止には完全に対応し得るけれども、該カード排出時のカード飛び出しに対しては、依然として問題を含んでいる。
【００１５】
すなわち、上記カードロック機構において、弾性ロック片の先端フック部がＩＣカードの凹部から後退し、その係合が解かれた時、ＩＣカードをカードコネクタから排出するためのイジェクタ機構は、まだ動作中である。したがって、イジェクト機構に組み込まれているコイルバネの復帰力により、ＩＣカードが押され、カードコネクタ内から飛び出してしまう恐れがある。特に、この種のＩＣカードは、近年軽薄短小化の方向を向いており、飛び出しの恐れが高い。
【００１６】
本発明の目的は、上記問題点に鑑み、カードを確実且つ容易に出し入れできるようにするとともに、カード排出時にカードコネクタからＩＣカードが飛び出ることを確実に防止できるようにしたカードロック機構付カードコネクタを提供することにある。
【課題を解決するための手段】
【００１７】
上記目的を達成するため、本発明に係るカードロック機構付カードコネクタは、基体と、該基体全体を覆い、該基体との間にＩＣカード収容空間を形成するカバーと、前記基体上を前後方向に移動し得るイジェクト部材、該イジェクト部材に対してその中央部に配置され、該イジェクト部材の前後方向の移動を規制するハートカムとカムレバー、及び前記イジェクト部材の両側部に配置され、該イジェクト部材を前方に付勢する２つのコイルバネを少なくとも有するイジェクト機構と、前記ＩＣカードに形成される凹部に係合する係止爪及び前記イジェクト部材に形成される長孔に係合するピンを含むロック部材、及び該ロック部材を前記ＩＣカード収容空間側に付勢する復帰バネを少なくとも有するカードロック機構とを備え、前記カードロック機構の前記ロック部材は、前記イジェクト機構のカード排出動作終了後に前記ＩＣカードとともに移動可能であり、当該ＩＣカードとの移動中に、ロック部材の係止爪とＩＣカードの凹部との係合が解除されることを特徴とする。
【００１８】
また、前記カードロック機構は、前記基体に形成された案内部をさらに有し、該案内部に形成されたカム傾斜面に、前記ロック部材の前記係止爪が案内されることにより、前記ロック部材が回動し、これにより前記係合が解除されることが好ましい。
【発明の効果】
【００１９】
以上説明したように、本発明に係るカードロック機構付カードコネクタは、イジェクト機構によるＩＣカード排出動作完了まで、ロック機構がＩＣカードと連動して移動し、ＩＣカードの保持を維持するように構成したので、ＩＣカード排出時における該ＩＣカードの飛び出しを防止できる。
【００２０】
また、ロック機構は、イジェクト機構によるカード排出動作完了後も、ＩＣカードの取り出し操作にともなって、該ＩＣカードとともに移動しながらロック部材が回動してロック（係合）が解除されるように構成しているので、ＩＣカードの取り出しが、格別の力を要することなく、円滑にかつ確実に実行され得る。
【００２１】
さらに、イジェクト部材本体後方両側近傍にコイルバネを設けることにより、イジェクト機構によるＩＣカード排出時、該ＩＣカードを傾けることがなく、ＩＣカードの排出を容易にする。
【発明を実施するための最良の形態】
【００２２】
以下、図１〜３を参照して本発明の好ましい実施態様につき説明する。  
図１は、本発明に係るカードロック機構付カードコネクタの外観構成を示す斜視図である。図２は、図１に示されるカードコネクタのカバーを取り外した状態を示す斜視図である。図３は、カム部材を含むイジェクト部材の平面図である。
【００２３】
カードコネクタ１は、概略、カバー２、基体３、コンタクト４、ＩＣカード排出用のイジェクト機構５及び該カードロック用のカードロック機構６を備えている。また、カードコネクタ１は、カバー２と基体３とで形成されるＩＣカード収容空間の前方にカード挿入口７を備えている。
【００２４】
本明細書において、用語「前方」は、コネクタ１にカードを出し入れするカード挿入口７が形成されている方向（図１の矢印Ａ方向）を示し、用語「後方」は、その反対の方向（図１の矢印Ｂ方向）を示す。
【００２５】
カバー２は、カード挿入口７を除いて後述する基板３を外装するカードコネクタ１の上部ハウジングを構成しており、カードコネクタ１の剛性を高くするとともに、加工が容易であることを考慮すると、金属製であることが好ましい。なお、２１は、後述するイジェクタ機構５のカムレバー５３を下方に押圧するレバー押さえバネであり、本実施態様ではカバー２の天板を打ち抜き加工することにより形成されて得る。
【００２６】
基体３は、コンタクト４、イジェクト機構５及びロック機構６を所定位置に搭載する、カードコネクタ１の下部ハウジングを構成しており、電気的に絶縁性の合成樹脂材料からモールド加工される。基体３は、上記したように、カバー２とともに、ＩＣカード収容空間を形成する。
【００２７】
なお、３１は、後述するロック部材６１を案内するカム傾斜面３１ａが形成されている一方の側壁、３２ａ、３２ｂは、基体３を構成する両側壁の内側に形成されている一対のＩＣカード案内用レール、３３は、イジェクト機構５のカムレバー５３の一端を揺動自在に支持する嵌合凹部、３４は、イジェクト機構５のカム部材５２の前後方向（コネクタ１へのＩＣカード１０の挿入、排出方向）への移動を案内するガイド溝部、３５は、イジェクト機構５０のイジェクト部材５１を前後方向に案内する、カード挿入排出方向に平行に基板３の底板に開けられているガイド用長孔、３６は、他方の側壁である。
【００２８】
コンタクト４は、ＩＣカード１０と電子機器（不図示）とを電気的に接続するための部材であり、電子機器の端子部とはんだ付けされる端子部４１、基体３の取付溝内に圧入され、コンタクト４を基体３に固定する固定部４２、コンタクト４の上下方向（コネクタ１の厚さ方向）への変位を可能にする弾性部４３、ＩＣカード１０の外部接点としてのパッド（不図示）と接触する接触部４４を備えている。このような構成を有するコンタクト４は、図に示されるように、コネクタ１の前後方向に平行に複数配置される。
【００２９】
イジェクト機構５は、上記した従来のプッシュ・プッシュタイプのイジェクト機構を応用したものであり、本実施態様では、カム部材５２と一体に形成されているイジェクト部材５１、カム部材５２と協働してイジェクト部材５１の移動を規制するカムレバー５３及びイジェクト部材５１を前方に押圧する２つのコイルバネ５６ａ、５６ｂを備えている。
【００３０】
イジェクト部材５１は、基体３の幅方向略一杯に延在し、基体３の前後方向に移動可能である概ね平板状のイジェクト部材本体５１ａを含んでいる。また、該イジェクト部材本体５１ａの前面は、挿入されるＩＣカード１０の先端面が当接する当接面５１ｂを構成している。本実施態様において、イジェクト部材５１は、図２に示されるように、一方の側部は、基体３の他方の側壁３６内面に沿って案内され、他方の側部は、本体５１ａ底面から突出形成されているピン（不図示）が基体３底板の対応する位置に形成されているガイド用長孔３５に案内されて前後方向に円滑に移動するように構成されている。
【００３１】
さらに、イジェクト部材５１は、図３（ａ）に示されるように、イジェクト部材本体５１ａの前面の両側部に、ＩＣカード１０を支持し案内する、一対のカード支持台５１ｃ、５１ｄを含んでいる。該カード支持台５１ｃ、５１ｄは、ＩＣカード案内用レール３２ａ、３２ｂにそれぞれ当接するように構成することが好ましい。この場合、ＩＣカード案内用レール３２ａ、３２ｂは、イジェクタ部材５１のストッパーとしての機能をも有することになる。
【００３２】
さらに、イジェクト部材５１は、前記他方の側部に、後述するロック機構６を構成する接続部５１ｅを含んでいる。該接続部５１ｅには、ロック部材６１に形成されているピン６３が係合する長孔５１ｆが設けられている。なお、本実施態様では、接続部５１ｅが、イジェクト部材５１の前面から前方に突出形成されているが、必ずしも突出していなくてもよい。
【００３３】
カム部材５２は、前記基体３底板に形成されているガイド溝部３４に沿って移動し得るように、イジェクト部材５１の略中央から後方に一体的に突出形成されされている板状部材である。該、カム部材５２には、係止凹部５４ａを有する概略ハート形状をしたハートカム５４及び該ハートカム５４の周囲に沿って形成されているレバー案内溝５５ａ、５５ｂ、５５ｃ、５５ｄが設けられている。ハートカム５４は、係止凹部５４ａがイジェクト部材５１の後面と対向して面するように設けられている。また、図３（ｂ）に示されるように、レバー案内溝５５ａ〜５５ｄは、カムレバー５３の一方の脚部５３ｂが、該レバー案内溝５５ａ〜５５ｄそして再び５５ａへこの順に必ず案内されるように（すなわち、逆流しないように）、各溝をつなぐ接続部に段差ｈが形成されている。
【００３４】
カムレバー５３は、概略逆Ｕ字形をなし、一端の垂直方向下方に延びる脚部５３ａが基体３の嵌合凹部３３に揺動（回動）自在に支持され、他端の垂直方向下方に延びる脚部５３ｂが前記レバー案内溝５５ａ〜５５ｄ内を移動する。
２つのコイルバネ５６ａ、５６ｂは、イジェクト部材５１の両側部近傍に、カム部材５２を挟んで略対称的位置に配置され、該イジェクト部材５１を前方に押圧するようにイジェクト部材本体５１ａの後面に当接している。したがって、イジェクト部材５１は、常に、前方、すなわちＩＣカードを排出する方向に、付勢されている。このように２つのコイルバネ５６ａ、５６ｂが対称位置に配置されることにより、挿入、排出されるＩＣカード１０がイジェクト部材５１を介して均一に押圧され、したがって、該ＩＣカード１０は、その挿入、排出時に傾くことが防止される。なお、２つのコイルバネ５６ａ、５６ｂの他端は、基体３の後法端部に固定されている。
【００３５】
カードロック機構６は、ロック部材６１を含んでいる。該ロック部材６１は、概ね長方形状をなし、その後方端部に、イジェクト部材５１の接続部５１ｃに形成されている長孔５１ｄ内を移動し得るピン６３を有し、その前方端部に、ＩＣカード１０に形成されている係合凹部１１に係合、離脱し得る係止爪６１ａを有する。該係止爪６１ａの背中（前方）側には、図２に示されるように、傾斜面６１ｂが形成されている。該傾斜面６１ｂは、前記基体３の一方の側壁３１に形成されているカム傾斜面３１ａに対向し、ロック部材６１の前方への移動時に該カム傾斜面３１ａに当接し、さらには該カム傾斜面３１ａ上に乗り上げられるように構成されている。なお、カム傾斜面３１後傾斜面６１ｂとは、必ずしも同じ傾斜角度を有していなくともよいし、また、傾斜面６１ｂは平面ではなく曲面であってもよい。
【００３６】
さらに、ロック機構６は、復帰バネ６２を含んでいる。該復帰バネ６２は、本実施態様においては、略Ｖ字形をしたバネ片であり、一方の片は、ロック部材６１に固定され、他方の片は、弾性を備えた自由端として構成され、該弾性を備える自由端は、カバー２の側壁に当接している。したがって、復帰バネ６２は、ロック部材６１の係止爪６１ａがＩＣカード収容空間内に突出する方向に、ロック部材６１を偏倚させる。
【００３７】
このような構成により、ロック部材６１は、ロック部材６１のＩＣカードの挿入、排出方向の移動に伴って、内外方向に揺動（回転）可能である。言い換えれば、ロック部材６１の係止爪６１ａは、前記ＩＣカード挿入、排出方向と直交する方向に変位可能である。
【００３８】
以上のような構成を有するカードコネクタ１へのＩＣカード１０の装着（挿入）及び取り出し（排出）操作を、図４〜７を用いて以下に説明する。
【００３９】
図４は、ＩＣカードがカードコネクタに完全に装着された図であり、図５は、イジェクタ機構によるＩＣカード排出動作が終了した時の平面図であり、図６は、手動によりＩＣカードが少し引き抜かれた状態を示す要部平面図であり、図７は、手動によりＩＣカードがかなり引き抜かれて、該ＩＣカードとロック部材との係合が解除された状態を示す要部平面図である。図４〜７は、ＩＣカードがカードコネクタから図番順に排出されてゆく行程を説明するための図であるが、図４〜７は、逆にたどれば、ＩＣカードがカードコネクタに挿入されてゆく工程を示しているとも言える。
【００４０】
先ず、カードコネクタ１へのＩＣカード１０の装着（挿入）について説明する。図２に示される状態にあるカードコネクタ１のカード挿入口７からＩＣカード１０後端面を指で軽く押しながら挿入する。この時、ＩＣカード収容空間内に突出するロック部材６１の係止爪６１ａが、挿入されるＩＣカード１０側面に当るが、ロック部材６１は、復帰バネ６２により内側（ＩＣカード収容空間側）に付勢されているだけであるので、前記係止爪６１ａは、該ＩＣカード１０の側面により容易に外側に排除され（図７参照）、ＩＣカード１０の挿入に何ら支障を与えるものではない。なお、ロック部材６１は、ＩＣカード１０側面と該ロック部材６１の係止爪６１ａとの間の摩擦力を利用して、ピン６３がガイド用長孔５１ｅ内を案内されて、図４又は図５に示される所定位置にまで戻されてもよい。
【００４１】
イジェクタ部材５１のカード当接面５１ｂにＩＣカード１０の先端面が当接する直前に、ロック部材６１の係止爪６１ａは、ＩＣカード１０側面に形成されている凹部１１内に係合する（図５参照）。したがって、この時点でＩＣカード１０は、後述するように、手動で強制的に引き抜かない限り、ロック部材６１によりコネクタ１内に保持された状態を維持する。
【００４２】
ＩＣカード１０の先端面がイジェクト部材５１の当接面５１ａに到達後、ＩＣカード１０をさらに押し込むと、該ＩＣカードの当接しているイジェクト部材５１及びこれと一体のカム部材５２が、ＩＣカード１０とともにカードコネクタ１後方へ移動させられる。なお、この時、イジェクト部材５１には、その後方に設けられているコイルバネ５６ａ、５６ｂの押圧力が加わるので、ＩＣカード１０を当初よりも若干強く押し込む必要がある。
【００４３】
このカム部材５２の移動に伴って、カムレバー５３の脚部５３ｂは、レバー案内溝５５ａ、５５ｂに沿って移動する。ＩＣカード１０の押し込みができなくなった時点で、ＩＣカード１０から指を離す（押し込み動作を解除する）と、ＩＣカード１０は、イジェクト部材５１を介してコイルバネ５６ａ、５６ｂによりコネクタ１前方に若干押し戻される。この時、カムレバー５３の脚部５３ｂがレバー案内溝５５ｂから５５ｃへと案内され、該脚部５３ｂは、ハートカム５４の係止凹部５４ａに係合するため、イジェクト部材５１及びＩＣカード１０のこれ以上の戻りが妨げられる。
【００４４】
このようにして、ＩＣカード１０のカードコネクタ１への装着が完了する（図４参照）。同時に、ＩＣカード１０のパッドと該パッドに対応するコネクタ１のコンタクト４の接触部４４とが電気的に接続されることは言うまでもない。
【００４５】
また、図４に示されるように、ＩＣカード１０は、ロック部材６１の係止爪６１ａがＩＣカード１０の凹部１１に係合しているため、カードコネクタ１内に確実に係止されると共に、予期しない外力が加えられても、カードコネクタ１から脱落することがない。
【００４６】
次に、ＩＣカード１０の取り外し（排出）操作につき説明する。図４に示される状態にあるＩＣカード１０を一度カードコネクタ後方に再度指で押し込む。これにより、カムレバー５３の脚部５３ｂが、レバー案内溝５５ｃに沿って移動させられ、レバー案内溝５５ｄへと案内される。この状態で指を離すと、カムレバー５３の脚部５３ｂは、レバー案内溝５５ｄから５５ａへ移動可能となっているので、コイルバネ５６ａ、５６ｂによりイジェクタ部材５１を介してＩＣカード１０は、図５に示される状態まで戻され、停止する。そして、図に示されるように、ＩＣカード１０は、指で摘める程度にまでカードコネクタ１のカード挿入口７から一部排出されてはいるが、残部がコネクタ１内に保持された状態に維持される。
【００４７】
なお、イジェクト部材５１は、基体３の側壁３６やガイド用長孔３５に両側を案内されて移動し、ＩＣカード１０を傾斜させることはない。また、ロック部材６１の係止爪６１ａが、ＩＣカード１０の凹部１１に依然として係合しているので、コイルバネ５６ａ、５６ｂの復帰力による押し戻し作用の慣性力でＩＣカード１０がカードコネクタ１から飛び出ることが防止される。
【００４８】
図５に示されるイジェクト部材５１が停止した状態、すなわち、イジェクト機構５によるＩＣカード１０の排出動作が完了した状態、において、ＩＣカード１０を指で挟むなどして、該ＩＣカード１０を強制的に引き抜く。このＩＣカード１０の引き抜き動作に伴い、ロック部材６１は、該ロック部材６１の係止爪６１ａがＩＣカード１０の凹部１１に係合したまま、該ＩＣカード１０と連動して前方に移動する（図６参照）。具体的には、ロック部材６１は、該ロック部材６１のピン６３がイジェクト部材５１の接続部５１ｅに形成されている長孔５１ｆ内を移動する長さ分だけ、移動し得る。
【００４９】
このロック部材６１の移動の間に、前記係止爪６１ａの背面に形成されている傾斜面６１ｂが基体３の側壁３１に形成されているカム傾斜面３１ａに当接し、さらに該傾斜面６１ｂは、カム傾斜面３１ａ上に乗り上がる。それによって、ロック部材６１は、復帰バネ６２に抗してピン６３周りに揺動（回動）し、係止爪６１ａは、外側方向（ＩＣカード挿入、排出方向と直交する方向）に案内（排除）される。したがって、該係止爪６１ａと前記ＩＣカード１０の凹部１１との係合状態が解除され、結果として、ＩＣカード１０は、カードコネクタ１から排出可能状態となる。
【００５０】
このようにして、ＩＣカード１０は、カードコネクタ１から排出され得る。なお、ロック部材６１は、復帰バネ６２の復帰力により、図２に示されるように、カードコネクタ１の内側（ＩＣカード収容空間側）に若干突出した状態にまで戻される。
【００５１】
以上、本発明の好ましい実施態様につき説明してきたが、本発明は、上記実施態様に限定されるものではない。例えば、ハートカムが基体側に設けられ、カムレバーの一端がイジェクト部材に揺動自在に支持されていてもよいし、ロック部材を内側に向けて偏倚させる復帰バネも略Ｖ字形のバネ片に限らず弾性部材であればどのようなもので構成されていてもよい。また、イジェクト部材の接続部におけるロック部材の戻りを助けるために、一端をイジェクト部材に固定され、他端をロック部材の突起に固定された引っ張りバネ等を設けてもよい。さらに、カード支持台近傍にＩＣカードの誤挿入を防止するためのＩＣカードに形成されている切り欠きに対応した当接部が形成されていてもよい。なお、この場合、ＩＣカードの形成される切り欠きは、ロック部材が係合する凹部と同じ側に形成されていることが好ましい。
【図面の簡単な説明】
【００５２】
【図１】本発明に係るカードロック機構付カードコネクタの外観構成を示す斜視図である。
【図２】図１に示されるカードロック機構付カードコネクタのカバーを取り除かれた状態を示す斜視図である。
【図３】イジェクト機構の要部を示す図であり、（ａ）は、カム部材を含むイジェクト部材を示す平面図、（ｂ）は、カムレバーがレバー案内溝に沿って移動することを説明するための図である。
【図４】ＩＣカードがカードロック機構付カードコネクタに完全に装着された時の平面図であって、カバーが取り除かれた状態を示す。
【図５】イジェクタ機構によるＩＣカード排出動作が終了した時の平面図であって、カバーが取り除かれた状態を示す。
【図６】手動によりＩＣカードが少し引き抜かれた状態を示す要部平面図であって、カバーが取り除かれた状態を示す。
【図７】手動によりＩＣカードがかなり引き抜かれて、該ＩＣカードとロック部材との係合が解除された状態を示す要部平面図であって、カバーが取り除かれた状態を示す。
【符号の説明】
【００５３】
１              カードコネクタ
２              カバー
３              基体
４              コンタクト
５              イジェクト機構
６              ロック機構
７              カード挿入口
１０            ＩＣカード
１１            凹部
２１            レバー押えバネ
３１            （基体３の一方の）側壁
３１ａ          カム傾斜面
３２ａ、３２ｂ  ＩＣカード案内用レール
３３            嵌合凹部
３４            ガイド溝部
３５            ガイド用長孔
３６            （基体３の他方の）側壁
４１            端子部
４２            固定部
４３            弾性部
４４            接触部
５１            イジェクト部材
５１ａ          イジェクト部材本体
５１ｂ          当接面
５１ｃ、５１ｄ  カード支持台
５１ｅ          接続部
５１ｆ          長孔
５２            カム部材
５３            カムレバー
５３ａ、５３ｂ  脚部
５４            ハートカム
５４ａ          係止凹部
５５ａ、５５ｂ、５５ｃ、５５ｄ  レバー案内溝
５６ａ、５６ｂ  コイルバネ
６１            ロック部材
６１ａ          係止爪
６１ｂ          傾斜面
６２            復帰バネ  
６３            ピン
【図１】
2005108569.tif 000003
【図２】
2005108569.tif 000004
【図３】
2005108569.tif 000005
【図４】
2005108569.tif 000006
【図５】
2005108569.tif 000007
【図６】
2005108569.tif 000008
【図７】
2005108569.tif 000009